(57)【特許請求の範囲】
【請求項１】
上部枠材１１と下部枠材１２とをヒンジ結合して中折り可能に形成した一対の吊りフレーム１ａ，１ｂ  をそれぞれ上端部にて載置フレーム１ｃの両端に枢着することにより、トラス、梁、その他の要所へ跨がらせて係合垂下させる開脚可能な吊りハンガー１を設け、該吊りハンガーの上記両吊りフレーム１ａ，１ｂ  の各下部枠材１２に一対のハンガー足場２を傾き調節自在に装着したことを特徴とする自在吊りハンガー足場。
【請求項２】
上部枠材１１と下部枠材１２とをヒンジ結合して中折り可能に形成した一対の吊りフレーム１ａ，１ｂ  をそれぞれ上端部にて載置フレーム１ｃの両端に枢着することにより、トラス、梁、その他の要所へ跨がらせて係合垂下させる開脚可能な吊りハンガー１を設け、該吊りハンガーの上記両吊りフレーム１ａ，１ｂ  の各下部枠材１２に一対のハンガー足場２を傾き調節自在に装着し、また、上記一対の吊りフレーム１ａ，１ｂ  と載置フレーム１ｃとの間に各吊りフレーム１ａ，１ｂ  を任意の開脚状態でロックするロック装置１５を設け、上記各ハンガー足場２の傾き調節自在な装着を上記各下部枠材１２とハンガー足場２とに相互に交差する適数のスリット１２３，２４１  を設けて、それぞれ交差双方に移動自在に挿通させ交差点にて締め緩めするボルト・ナット１６で傾き調節自在に締結したことを特徴とする自在吊りハンガー足場。
【請求項３】
上記一対の吊りフレーム１ａ，１ｂ  の上部枠材１１の外面にそれぞれ複数の吊りプレート１１３  を突設した請求項１又は請求項２記載の自在吊りハンガー足場。
【請求項４】
上記各下部枠材１２のスリット１２３  を各下部枠材１２を構成する垂直部材１２１  に形成し、上記各ハンガー足場２のスリット２４１  を各ハンガー足場２に設けた幅木プレート２４に形成した請求項２記載の自在吊りハンガー足場。
【請求項５】
上記各吊りフレーム１ａ，１ｂ  と上記各ハンガー足場２との間に吊りチェーン４と方杖２９とを着脱自在に装着した請求項１、請求項２又は請求項３記載の自在吊りハンガー足場。
【請求項６】
上記各ハンガー足場２の側面に折り畳み自在な張出足場３を付設した請求項１、請求項２、請求項３又は請求項４記載の自在吊りハンガー足場。
【発明の詳細な説明】
【０００１】
【発明の属する技術分野】
本発明は、方向が三次元に傾く架構にも水平に足場を仮設する自在吊りハンガー足場に関するものである。
【０００２】
【従来の技術】
従来の仮設の吊り足場には、吊りチェーンによる棚足場や吊りハンガー足場が知られている。
前者は、梁に吊りチェーンを輪形に吊り下げ、該吊りチェーンにより単管、足場板等から成る棚足場を支持するものであり、後者は、水平乃至ほぼ水平な梁を支点に、ハンガー足場を吊り下げて使用するものである。
【０００３】
【発明が解決しようとする課題】
ところで、卵形ドーム等の建設では、屋根を構成するトラスは様々な角度で三次元に傾くことがあるが、このような場合でも、構築途上のトラスの接続用足場は、水平乃至ほぼ水平に保つことが作業上、安全上、重要である。
この点、上記吊りチェーンによる棚足場の場合は、その吊りチェーンの長さを変えることにより、三次元の傾きにはある程度対応できる。しかし、支点間隔が大きいと、足場強度が低下する。また、高所での棚足場の取り付けとなるため、組み付け、解体に多大な工数を要し、高所作業の増大で危険性が増し、安全面で問題がある。
吊りハンガー足場の場合は、現在のところ、水平乃至ほぼ水平な部分だけが使用対象であるために、三次元に傾くトラス等には使用できない。
本発明は、それらの問題点を解決しようとするものであり、方向が三次元に傾く架構の各所にも、ハンガー足場を水平な状態で安定に吊り下げることができるようにし、また、その組み立て及び解体を安全にかつ容易に行えるようにしようとするものである。
【０００４】
【課題を解決するための手段】
上記目的達成のため、請求項１の発明は、上部枠材１１と下部枠材１２とをヒンジ結合して中折り可能に形成した一対の吊りフレーム１ａ，１ｂ  をそれぞれ上端部にて載置フレーム１ｃの両端に枢着することにより、トラス、梁、その他の要所へ跨がらせて係合垂下させる開脚可能な吊りハンガー１を設け、該吊りハンガーの上記両吊りフレーム１ａ，１ｂ  の各下部枠材１２に一対のハンガー足場２を傾き調節自在に装着したことを特徴とする。
【０００５】
請求項２の発明は、上部枠材１１と下部枠材１２とをヒンジ結合して中折り可能に形成した一対の吊りフレーム１ａ，１ｂ  をそれぞれ上端部にて載置フレーム１ｃの両端に枢着することにより、トラス、梁、その他の要所へ跨がらせて係合垂下させる開脚可能な吊りハンガー１を設け、該吊りハンガーの上記両吊りフレーム１ａ，１ｂ  の各下部枠材１２に一対のハンガー足場２を傾き調節自在に装着し、また、上記一対の吊りフレーム１ａ，１ｂ  と載置フレーム１ｃとの間に各吊りフレーム１ａ，１ｂ  を任意の開脚状態でロックするロック装置１５を設け、上記各ハンガー足場２の傾き調節自在な装着を上記各下部枠材１２とハンガー足場２とに相互に交差する適数のスリット１２３，２４１  を設けて、それぞれ交差双方に移動自在に挿通させ交差点にて締め緩めするボルト・ナット１６で傾き調節自在に締結したことを特徴とする。
【０００６】
請求項３の発明は、請求項１又は請求項２の自在吊りハンガー足場にあって、上記一対の吊りフレーム１ａ，１ｂ  の上部枠材１１の外面にそれぞれ複数の吊りプレート１１３  を突設して成る。
【０００７】
請求項４の発明は、請求項２の自在吊りハンガー足場にあって、上記各下部枠材１２のスリット１２３  を各下部枠材１２を構成する垂直部材１２１  に形成し、上記各ハンガー足場２のスリット２４１  を各ハンガー足場２に設けた幅木プレート２４に形成して成る。
【０００８】
請求項５の発明は、請求項１、請求項２、請求項３又は請求項４の自在吊りハンガー足場にあって、上記各吊りフレーム１ａ，１ｂ  と上記各ハンガー足場２との間に吊りチェーン４と方杖２９とを着脱自在に装着して成る。
【０００９】
また、請求項６の発明は、請求項１、請求項２、請求項３、請求項４又は請求項５の自在吊りハンガー足場にあって、上記各ハンガー足場２の側面に折り畳み自在な張出足場３を付設して成る。
【００１０】
【発明の実施の形態】
図面は、様々な角度で三次元に傾く卵形ドーム等の屋根トラスの構築に使用する自在吊りハンガー足場を示している。
図において、１は、トラスの上弦材Ａへ跨がらせて係合垂下させる開脚可能かつ中折り可能な吊りハンガー、２は、該吊りハンガーの下部に傾き調節自在に装着した一対のハンガー足場、３は、各ハンガー足場の側面に折り畳み自在に付設した張出足場である。
【００１１】
図１乃至図７に示すように、吊りハンガー１は、垂直部材１１１，１２１  と水平部材１１２，１２２  とでロ字状に形成した上部枠材１１と下部枠材１２とを二点ヒンジ１３で結合して中折り可能に形成した一対の吊りフレーム１ａ，１ｂ  を、それぞれ上端部で載置フレーム１ｃの両端に開脚可能に枢着１４して、トラスの上弦材Ａへ跨がらせ得るようにし、各枢着部１４の近傍にそれぞれ吊りフレーム１ａ，１ｂ  の回動を任意の角度でロックする係合・離脱自在なロック装置１５を設けており、両下部枠材１２の外面に一対のハンガー足場２を傾き調節自在に装着している。
両上部枠材１１には、左右の垂直部材１１１  の外面にそれぞれ透孔を穿設した複数の吊りプレート１１３  を配設して、クレーン等で揚重できるようにし、かつ、それぞれ一方の垂直部材１１１  の両側面適所に複数の固定フック１１４  を突設して、トラスの上弦材Ａの接続端部から突出するボルトへと仮係合させることができるようにしており、また、上記載置フレーム１ｃには、適所に回動フック１９を装着して、トラスの上弦材Ａの突端部から突出するボルトへと係合させ得るようにしている。
両下部枠材１２には、左右の垂直部材１２１  に、材長方向に長くかつ内外面に開口したスリット１２３  を穿設して、これらのスリットにそれぞれ位置替え自在に挿通させたボルト・ナット１６により上記各ハンガー足場２の内面の側を傾き調節自在に締結している。
更に、載置フレーム１ｃ、各上部枠材１１、各下部枠材１２には、それぞれブレース１７，１１５，１２４  を架設して補強しており、載置フレーム１ｃ、各上部枠材１１には、内面にゴム板１８，１１６  を貼着して、跨がせたトラスの上弦材Ａに損傷を与えないよう配慮している。
なお、各上部枠材１１と各下部枠材１２の左右の垂直部材１１１，１２１  及び各上部枠材１１の上部の水平部材１１２  には、角パイプを、各下部枠材１２の下部の水平部材１２２  には、丸パイプを、また、各上部枠材１１の下部の水平部材１１２  と各下部枠材１２の上部の水平部材１２２  には、アングルを用いている。
【００１２】
両ロック装置１５は、図８に示すように、両吊りフレーム１ａ，１ｂ  と載置フレーム１ｃとの各枢着部１４の近傍において、載置フレーム１ｃの両端部の上面に、それぞれ枢着部１４に中心をおく扇形ロックプレート１５１  を各上部部材１１の当該垂直部材１１１  に沿えて立設し、各扇形ロックプレート１５１  には、それぞれ枢着部１４に中心をおくロック用円弧状長孔１５２  を穿設し、これらのロック用円弧状長孔に、当該垂直部材１１１  に装備させた各ロック用ボルト・ナット１５３  を挿通させている。
各ロック用円弧状長孔１５２  には、上孔縁に複数の係止凹部１５４  をギア歯状に配列して、それぞれいずれかの係止凹部１５４  に上記各ロック用ボルト・ナット１５３  を係合させるようにし、各ロック用ボルト・ナット１５３  は、各ロック用円弧状長孔１５２  に対応させて上記各一方の垂直部材１１１  の適所に材長方向に穿設した各短小長孔１５５  に上下可動に挿通させて、この上下動で各係止凹部１５４  への係合・離脱を得るようにしている。
而して、両ロック装置１５は、各短小長孔１５５  において、それぞれのロック用ボルト・ナット１５３  を緩め状態で下降させて、係止凹部１５４  から離脱させれば、各ロック用円弧状長孔１５２  内での各ロック用ボルト・ナット１５３  の移動が自由になり、各吊りフレーム１ａ，１ｂ  の開脚すなわち回動を自由にする。また、各吊りフレーム１ａ，１ｂ  の任意の開脚角度でそれぞれのロック用ボルト・ナット１５３  を上昇させて、該当する係止凹部１５４  に係合させ、そして、締め付ければ、それぞれのロック用ボルト・ナット１５３  の移動が不能となり、各吊りフレーム１ａ，１ｂ  をその開脚角度で拘束する。
【００１３】
各二点ヒンジ１３は、図９、図１０に示すように、各吊りフレーム１ａ，１ｂ  の上部枠材１１と下部枠材１２の垂直部材１１１，１２１  相互間に、それぞれ両側から一対のヒンジプレート１３１  を当接させ、両ヒンジプレートの両端部と上下の垂直部材１１１，１２１  端部とにヒンジピン１３２，１３３  を挿通させて、各吊りフレーム１ａ，１ｂ  を内外へ中折り可能に形成している。
【００１４】
図１乃至図７、図１１、図１２に示すように、一対のハンガー足場２は、奥行きが各吊りフレーム１ａ，１ｂ  の横幅とほぼ同等、横幅が約２倍の一対の足場フレーム２１の上面に、それぞれエキスパンドメタル２２を張り、各足場フレーム２１の四隅には、それぞれ垂直に鞘管２３を設け、各足場フレーム２１の内面乃至内側の左右の鞘管２３に幅木プレート２４を張り、かつ、各足場フレーム２１の一側面面乃至該一側面の前後の鞘管２３に幅木メッシュシート２５を張り、各鞘管２３には、それぞれ上端と中間部に係止ピン２６１  を突設した手摺柱２６を抜き差し自在に嵌合起立させ、それらの係止ピン２６１  によりそれぞれ隣接相互の手摺柱２６の間に手摺管２７、桁管２８を着脱自在に装着し、各足場フレーム２１の他側面には、それぞれ張出足場２を付設しており、それらの幅木プレート２４において各ハンガー足場２の内面の側を上記各吊りフレーム１ａ，１ｂ  の下部枠材１２に装着している。
各幅木プレート２４には、図１１に示すように、左半部と右半部に、それぞれ上下２条のスリット２４１  を並設して、図１、図２、図１３に示すように、上記両吊りフレーム１ａ，１ｂ  の各下部枠材１２にあるスリット１２３  と各々交差させ、これらのスリット１２３  に挿通させたボルト・ナット１６を各幅木プレート２４の各スリット２４１  にも位置変え自在に挿通させて、それぞれの交差点に位置させることで、それらのスリット内での各ボルト・ナット１６の移動により上記各ハンガー足場２を傾き調節できるようにし、所要の傾き調節後にそれらのボルト・ナット１６を締め付けることにより、各ハンガー足場２を上記各吊りフレーム１ａ，１ｂ  の下部枠材１２に傾き調節自在に締結している。
各足場フレーム２１の外面には、図１１、図１２に示すように、複数の方杖支持金物２１１  を配設しており、それらの方杖支持金物２１１  には、図１乃至図４、図１５、図１６に示すように、それぞれいずれかのものに方杖２９の上端を方向変換自在に連繋させ、各方杖２９の下端を上記各吊りフレーム１ａ，１ｂ  の下部枠材１２における下部の水平部材１２２  にクランプ２９１  により着脱自在にかつ位置変え自在に連繋させている。
各方杖２９の上端には、図１５、図１６に示すように、それぞれ垂直回動可能にコ字形金物２９２  を枢着２９３  し、各コ字形金物を任意の各方杖支持金物２１１  にボルト・ナット２９４  により水平回動可能に締結している。
また、各足場フレーム２１の外側の鞘管２３と上記各吊りフレーム１ａ，１ｂ  のいずれかの吊りプレート１１３  との間には、図１乃至図４に示すように、吊りチエーン４を着脱自在に張出して補強している。
【００１５】
各ハンガー足場２の側面に付設した張出足場３は、図１１、図１２、図１４に示すように、小さな張出フレーム３１を各足場フレーム２１の他側面の側に、丁番３２を介して起倒自在に連設し、各張出フレーム３１を水平に倒した状態において、各張出フレーム３１には、それぞれ上面にエキスパンドメタル３３を張り、かつ、各側端部の前後の二隅に垂直に鞘管３４を設け、各鞘管３４には、それぞれ上端と中間部に係止ピン３５１  を突設した手摺柱３５を抜き差し自在に嵌合起立させ、それらの係止ピン２６１  によりそれぞれ隣接相互の手摺柱２６，３５の間に手摺チェーン３５２  ，桁チェーン３５３  を着脱自在に架設している。
両張出足場３は、足場面積を広くするときに用いるものであり、広くすることを要しないときは、それぞれの手摺管３５、手摺チェーン３５２  ，桁チェーン３５３  を取り外し、各張出フレーム３１を起こして、各エキスパンドメタル３３を幅木に利用するものである。
【００１６】
如上の構成であり、使用に当たっては、まず、トラスの上弦材Ａにおける使用箇所の傾斜状況に適合させて地組し、両ハンガー足場２の傾き調節を行う。この際、張出足場３が必要であれば、張出フレーム３１を倒して、張出足場３も地組する。ただし、両ロック装置１５については離脱状態におく。
次に、吊りハンガー１の各吊りフレーム１ａ，１ｂ  に設けた吊りプレート１１３  に玉掛けしてクレーン等で揚重する。この揚重状態では、各吊りプレート１１３  が各吊りフレーム１ａ，１ｂ  の外面にあって各吊りフレーム１ａ，１ｂ  と載置フレーム１ｃの枢着部１４よりも外側にあるので、各吊りフレーム１ａ，１ｂ  したがって吊りハンガー１は自動的に開脚状態となる。
開脚状態で揚重した吊りハンガー１は、トラスの上弦材Ａの要所に跨がらせる。この状態で、それぞれの固定フック１１４  と回動フック１９とをトラスの上弦材Ａから突出するボルトへと仮係合させるとともに、両ロック装置１５をロックさせて各吊りフレーム１ａ，１ｂ  を固定し、仮設を終了する。
このようにして仮設した吊りハンガー足場は、例えば、図１、図３に示すように、トラスの上弦材Ａが水平の場合には、両ハンガー足場２は吊りハンガー１に対して傾かず、図２に示すように、トラスの上弦材Ａに材軸方向の傾きがある場合には、両ハンガー足場２は吊りハンガー１に対して傾斜し、また、図４に示すように、トラスの上弦材Ａに捩じれ方向の傾きがある場合には、いずれか一方の吊りフレームが開脚状態に回動し、他方の吊りフレームが中折り状態となって、結果として、いずれの場合も、両ハンガー足場２の水平状態を維持することができる。
取り外しのときは、逆の手順を行えばよい。
【００１７】
以上の実施の形態では、卵形ドーム等の屋根トラスの構築を対象としているが、一般的な建築における鉄骨梁等でもよく、固定フック１１４  の位置等はそれに相応させればよい。
【００１８】
【発明の効果】
請求項１、請求項２、請求項３、請求項４、請求項５、請求項６の発明によれば、既述構成であるから、次の効果を奏する。
（１）  三次元に傾く複雑なトラス、梁等であっても、ハンガー足場２を常に水平に保持できるので、高所での作業を安全に行うことができる。
（２）  高所での足場の仮設、解体撤去が、地上での大半の組み立て及び傾き調節又は解体とクレーン等による揚重とで極めて容易に行えることから、高所での危険作業を大幅に低減できる。
（３）  トラス、梁等への取り付け、取り外しが容易に行えることから、足場の転用回数が大幅に増加し、仮設コストの低減を図ることができる。
（４）  トラス、梁等に接続する部分を変更するだけで、Ｈ形鋼や鋼管にも対応することができるため、幅広い水平展開を図ることができる。
【００１８】
更に、請求項２の発明によれば、構造を具体的に簡潔なものにでき、容易に、安価に、製作できる。
【００１９】
請求項３の発明によれば、一対の吊りフレーム１ａ，１ｂ  の上部枠材１１の外面に複数の吊りプレート１１３  を突設したので、これらの吊りプレートに玉掛けしてクレーン等で揚重することにより、一対の吊りフレーム１ａ，１ｂ  を自動的に開脚させることができ、したがって、トラス、梁等への取り付け、取り外しを容易することができる。
【００２０】
請求項４の発明によれば、各下部枠材１２のスリット１２３  を各下部枠材１２を構成する垂直部材１２１  に形成し、各ハンガー足場２のスリット２４１  を各ハンガー足場２に設けた幅木プレート２４に形成したので、各ハンガー足場２の傾き調節を容易に、スムーズに、かつ、的確に行うことができ、しかも、構造を邪魔になるもののない簡潔なものにできる。
【００２１】
請求項５の発明によれば、各吊りフレーム１ａ，１ｂ  と各ハンガー足場２との間に吊りチェーン４と方杖２９とを着脱自在に装着したので、各ハンガー足場２を十分に補強でき、安定性、安全性を確保できる。
【００２２】
そして、請求項６の発明によれば、各ハンガー足場２の側面に折り畳み自在な張出足場３を付設したので、必要であれば、これらの張出足場３を使用することにより足場を拡張できて便利である。
【図面の簡単な説明】
【図１】請求項１乃至請求項５の発明に係る自在吊りハンガー足場の実施の形態を示す非傾斜状態の正面図である。
【図２】同実施の形態における傾斜状態の正面図である。
【図３】同実施の形態における非傾斜状態の一部截断側面図である。
【図４】同実施の形態における傾斜状態の一部截断側面図である。
【図５】同実施の形態における吊りハンガーを示す拡大正面図である。
【図６】同吊りハンガーを示す一部截断拡大側面図である。
【図７】同吊りハンガーを示す拡大平面図である。
【図８】同吊りハンガーにおけるロック装置の拡大側面図である。
【図９】同吊りハンガーにおける二点ヒンジの拡大正面図である。
【図１０】同二点ヒンジの拡大側面図である。
【図１１】同実施の形態におけるハンガー足場の拡大正面図である。
【図１２】同ハンガー足場の一部截断拡大平面図である。
【図１３】同実施の形態における吊りハンガーとハンガー足場との結合部を示す拡大截断正面図である。
【図１４】図１２の一部を更に拡大して示す截断拡大平面図である。
【図１５】同実施の形態における方杖に関する拡大截断側面図である。
【図１６】同方杖に関する拡大截断正面図である。
【符号の説明】
Ａ…トラスの上弦材
１…吊りハンガー                ２…ハンガー足場
３…張出足場                    ４…吊りチェーン
１ａ，１ｂ  …吊りフレーム            １ｃ…載置フレーム
１１…上部枠材                    １２…下部枠材
１３…二点ヒンジ                  １４…枢着部
１５…ロック装置                  １６…ボルト・ナット
１７…ブレース                    １８…ゴム板
１９…回動フック
２１…足場フレーム                ２２…エキスパンドメタル
２３…鞘管                        ２４…幅木プレート
２５…幅木メッシュシート          ２６…手摺柱
２７…手摺管                      ２８…桁管
２９…方杖
３１…張出フレーム                ３２…丁番
３３…エキスパンドメタル          ３４…鞘管
３５…手摺柱
１１１，１２１  …垂直部材              １１２，１２２  …水平部材
１１３  …吊りプレート              １１４  …固定フック
１１５，１２４  …ブレース              １１６  …ゴム板
１２３  …スリット
１３１  …ヒンジプレート            １３２，１３３  …ヒンジピン
１５１  …扇形ロックプレート        １５２  …ロック用円弧状長孔
１５３  …ロック用ボルト・ナット    １５４  …係止凹部
１５５  …短小長孔
２１１  …方杖支持金物
２６１  …係止ピン                  ２４１  …スリット
２９１  …クランプ                  ２９２  …コ字形金物
２９３  …枢着
３５１  …係止ピン                  ３５２  …手摺チェーン
３５３  …桁チェーン
【図１】
0003606346.tif 000002
【図２】
0003606346.tif 000003
【図３】
0003606346.tif 000004
【図４】
0003606346.tif 000005
【図５】
0003606346.tif 000006
【図６】
0003606346.tif 000007
【図７】
0003606346.tif 000008
【図８】
0003606346.tif 000009
【図９】
0003606346.tif 000010
【図１０】
0003606346.tif 000011
【図１１】
0003606346.tif 000012
【図１２】
0003606346.tif 000013
【図１３】
0003606346.tif 000014
【図１４】
0003606346.tif 000015
【図１５】
0003606346.tif 000016
【図１６】
0003606346.tif 000017